(57)【要約】【課題】延床面積が小さくても納骨スペースを多く確保でき、開放的な雰囲気で、且つ焼香や生花の献花等が制約されることなく行うことができ、しかも納骨室のリユースが可能な合祀霊廟を提供する。【解決手段】基礎床板２と、この基礎床板２上に立設されたロッカー式納骨室１とを主たる構成とし、共用礼拝スペース５と、焼香台３ｂ、花立て３ｃ及び供物台３ｄを配設してなる合同納骨室を兼ねた祭壇３を基礎床板２上に区画併設して構成する。これらロッカー式納骨室１と合同納骨室３に臨んで囲まれた前方空間を共用礼拝スペース５とする。【選択図】  図１
2013019108.tif 000002
【特許請求の範囲】
【請求項１】
屋外に布設される基礎床板と、該基礎床板上に立設されたロッカー式個別納骨室を主たる構成とし、少なくとも共用礼拝スペースと供物台、花立て、線香立てを配設してなる合同納骨室及び祭壇が同一基礎石板上に区画併設されたことを特徴とする合祀霊廟。
【請求項２】
納骨室の開口を開閉する扉に窓口を設けると共に透光板を着脱自在に嵌め込み固定したことを特徴とする請求項１記載の合祀霊廟。
【請求項３】
透光板にエッチング加工を施し、文字、図柄、装飾文様を描出したことを特徴とする請求項２記載の合祀霊廟。
【発明の詳細な説明】
【技術分野】
【０００１】
本発明は、多数の遺骨を納骨するための集合式霊廟に関するものである。
【背景技術】
【０００２】
現在、とくに都市部においては、高い地価や人口過密に起因して個々に霊廟を建立することが困難であるため集合納骨堂が広く利用されている。集合納骨堂は寺院の屋内に配置されるのが一般的であるが、採光が不十分なため必然的に暗い雰囲気になることは否めない。
【０００３】
この種の納骨堂として、例えば、ロッカー式の納骨堂（特許文献１、２参照）。キャビネット状のユニット式納骨堂でフロントガラスから中の骨壺が明瞭に視認できるもの（特許文献３参照。）。二重スラブ構造の多層階の墓所（特許文献４参照。）。地上部と地下部とからなる多階層のアトリウム式墓地（特許文献５参照。）。中央吹き抜けの周囲に納骨ロッカーが複数階層された納骨堂（特許文献６）、多段式の集合納骨堂（特許文献７参照。）等、様々なものが提案されている。
【先行技術文献】
【特許文献】
【０００４】
【特許文献１】特許第２５４２４８０号公報
【特許文献２】実用新案登録第３０１３３６６号公報
【特許文献３】特表２００２−５０４６３８号公報
【特許文献４】特公平０５−７１７４９号公報
【特許文献５】特許第３０６００４２号公報
【特許文献６】実用新案登録第３１１１７６６号公報
【特許文献７】実用新案登録第３０６７８６５号公報
【発明の概要】
【発明が解決しようとする課題】
【０００５】
しかしながら、ビル構造のような霊廟では、建築基準法による建蔽率や容積率の規制を受ける。そこで、墓石を載置する墓地としての床面積を大きく確保すると、階段や通路などのスペースが狭小となり、泰然とした雰囲気に欠けてしまう。また、霊廟全体の屋根をガラス等の透明材にすることで採光の点では良好になっても、換気を十分に行うことができず、屋外の霊廟のように線香や生花などを供えることに規制を受ける。本発明の目的は、延床面積が小さくても納骨スペースを多く確保でき、開放的な雰囲気で、且つ古くからの墓参の習慣である焼香や生花の献花等が制約されることなく行うことができ、しかも納骨室のリユースが可能な合祀霊廟を提供することを目的とするものである。
【課題を解決するための手段】
【０００６】
そこで、本発明の合祀霊廟は、屋外に布設される基礎床板と、該基礎床板上に立設されたロッカー式個別納骨室とを主たる構成とし、少なくとも共用礼拝スペースと供物台、花立て、線香立てを配設してなる合同納骨室及び祭壇が同一基礎板上に区画併設されたことを第１の特徴とする。また、納骨室の開口を開閉する扉に窓口を設けると共に透光板を着脱自在に嵌め込み固定したことを第２の特徴とする。さらに、透光板にエッチング加工を施し、文字、図柄、装飾文様を描出したことを第３の特徴とする。
【発明の効果】
【０００７】
本発明によれば、下記の優れた効果がある。
（１）納骨室は階層になっていて土地の有効利用が図られ、且つ多数の納骨が可能となり需要者に廉価に提供することができる。
（２）外気が流通する屋外設置式であるので、線香や生花を供えても不都合が生じることなく、墓参者は泰然とした開放感が得られる。
（３）合祀祭壇を設けることで、古い寺院のような荘厳な雰囲気が醸し出される。
（４）共用礼拝スペースで、親族、友人等が集い、所定の法要、追悼会、ミサ、霊祭等の祭事を営むことができる。
（５）５０回忌を経過した弔いあげの時点で、遺骨を自然に帰すことにより納骨室のリユースが可能となる。
【０００８】
本発明の個々の納骨室は扉が開閉自在なロッカー式とし、納骨室内に物故者の遺骨（骨壺）を収納する。各納骨室の扉には家名札を貼って、享年、戒名等を刻印する。合祀祭壇としては、宗教が仏教であれば一例として塁宝塔を建立するのが好ましい。塁宝塔の仏石には、戒名を３０体以上合祀して刻むことが容認されているため、合祀祭壇として適している。可能であれば同一宗派の同朋祭祀とすることにより一層仏果が得られる。この場合には、合祀祭壇に宗教宗派にかなった宗祖の仏像等を安置する。また、本発明に係る合祀霊廟は、新たに建設することに加えて、既存の設備、例えば寺院墓地が都市計画により移転を余儀なくされる等を含めて無縁墓を改葬される際の構築が好ましい。
【図面の簡単な説明】
【０００９】
【図１】本発明に係る合祀霊廟の一実施例の全体を示す斜視図である。
【図２】図１の左側から見た斜視図である。
【図３】図１の右側から見た斜視図である。
【図４】図１の右側面図である。
【図５】図１の正面図である。
【図６】図１の平面図である。
【図７】納骨室の要部拡大斜視図である。
【図８】納骨室の扉の要部分解斜視図である。
【図９】換気装置ユニットの説明図である。
【図１０】太陽光電池パネル設置用支柱の斜視図である。
【図１１】太陽光電池パネル設置用支柱のジョイントの分解斜視図である。
【図１２】通気孔用パッキングの一例を示す（ａ）斜視図、（ｂ）は（ａ）のＡ−Ａ線断面図である。
【図１３】本発明に係る合祀霊廟の他の実施例の全体を示す斜視図である。
【図１４】図１３の左側から見た斜視図である。
【図１５】図１３の右側から見た斜視図である。
【図１６】図１３の右側面図である。
【図１７】図１３の正面図である。
【図１８】図１３の平面図である。
【図１９】納骨室の分解斜視図である。
【図２０】（ａ）は納骨室内部を示す側面図、（ｂ）は（ａ）のＡ−Ａ線断面である。
【発明を実施するための形態】
【００１０】
以下、本発明の好ましい実施の形態を図面に示す実施例に基づいて説明する。
【実施例１】
【００１１】
図１乃至図６に示すように、本発明に係る合祀霊廟は屋外に布設されるものであり、基礎床板２と、この基礎床板２上に立設されたロッカー式納骨室１とを主たる構成とし、少なくとも共用礼拝スペース５と、焼香台３ｂ、花立て３ｃ及び供物台３ｄを配設してなる合同納骨室を兼ねた祭壇３が基礎床板２上に区画併設して概略構成されている。
【００１２】
基礎床板２は床石タイル２ａを複数枚敷設し、周囲を縁石２ｂで囲んで矩形状に形成され、その一辺側に二棟のロッカー式納骨室１が連設して壁様に配置立設されている。そして、一棟のロッカー式納骨室１には、個別納骨室１Ａが縦に５室、横に３室の合計１５室が区画形成されている。尚、ロッカー式納骨室１の区画形態が本実施例に限定されないことは言うまでもなく、個別納骨室１Ａの数やサイズ形状は任意である。
【００１３】
また、二棟のロッカー式納骨室１は、基礎床板２上に目隠しを兼ねた一対の雲形状の防護壁６を立設し、これら防護壁６、６の間に配置される。また、合同納骨室３の背面壁６も同様の雲形状にデザインされている。基礎床板２のロッカー式納骨室１が配置された辺側と直角を成す辺側には、合同納骨室３が建立されていて、これらロッカー式納骨室１と合同納骨室３に臨んで囲まれた前方空間は共用礼拝スペース５となり、この礼拝スペース５を活用して親族、友人等が集い、所定の法要、追悼会、ミサ、慰霊祭等の祭事を営むことができる。尚、図中、４はベンチ、７及び８は太陽光電池パネル設置用の石柱、８ａは清掃用具等を収納する収納庫である。
【００１４】
個別納骨室１Ａを個人専用にした場合は、例えば、５０回忌を経過した弔いあげの時点で遺骨を自然に帰す。これにより個別納骨室１Ａのリユースが可能となる。この場合、遺族負担による補修費等の捻出も可能となる。複数納骨は、偕老同穴を尊重する夫婦、家族合同納骨を希望する需要者に適合する。
【００１５】
図７に示すように、本実施例における個別納骨室１Ａは、長尺の二枚の棚板である天枠１Ｄと底枠１ｆとの間で構成される空間をさらに通気孔１ｇが穿設された仕切板１Ｃでもって３区画に形成され、各々の個別納骨室１Ａには、片開き扉（窓枠）１ａの窓口１ｂを構成する右側枠１ｄ、左側枠１ｅとからなる基枠に、取手１ｈが設けられた窓枠１ａが支軸１ｉでもって天枠１Ｄと底枠１ｆの軸支凹所１ｌに開閉自在に取り付けられる。この窓枠１ａは閉状態で右側枠１ｄの前方に突設されると共に、施錠用透孔１ｋが穿孔された固定石ビス１ｊと、取手１ｈに穿孔された施錠用透孔１ｋの双方に南京錠等（図示せず）の鉤部を貫装して封止施錠できるようにされている。図中、１ｃは納骨室の底板、１ｍは雨水や結露を流下させる流水溝である。
【００１６】
図８に示すように、窓枠１ａには、その内周縁に沿って矩形の嵌合凹所１１が設けられ、ガラス板（透光板）１０を着脱自在に嵌め込むことができるようにされている。ここで、ガラス板１０には、物故者の思い出の言葉を表す文章や家紋などの図柄、装飾文様９がエッチング加工により描出する。尚、本実施例では透光板１０としてガラス板を使用しているが、耐久性の高い透明なプラスチック板等でも良い。また、納骨室の扉には家名札を貼って、氏名、享年、戒名等を刻印する。
【００１７】
このガラス板（透光板）１０は着脱自在に取り付けられているので、施主の希望に応じて異なるデザインのものに何時でも交換することができる。そして、取り外したガラス板（透光板）１０は、ガラス板単体で仏壇等に飾ることもできる。本実施例においては、合同納骨室３に取り付けられた採光並びに通風のための扉３ａも個別納骨室１Ａの扉１ａと両開き（観音開き）である点を除いては同様の構成とされている。
【００１８】
以上のような扉部１ａ又は３ａの構成により、扉を開いて覗き込めば、納骨室内の状態を視認することができる。さらに窓口を通して換気が行われ遺骨の保存が良好に行われる。また、エッチング加工した透光板を用いることにより、扉を閉じた状態で納骨室内に太陽の光を採り入れることができるものの内部は視認できないという目隠し効果があり、プライバシー保護上の問題も解消できる。とくに、エッチングされた文章や文様は物故者とのつながりを感じ取れるシンボルとしても機能し、供養する者は精神的な安堵感が得られる。
【００１９】
また、本発明の霊廟には、後述する太陽電池パネル１４設置用の石柱７及び８が付設される。そして、この太陽電池パネル１４から供給された電力により、図９に示すような排気装置１３を稼動させる。例えば、個別納骨室１Ａの左右の壁に納骨室１Ａの仕切板１Ｃに穿孔された通気孔１ｇを介して外部と連通する通気口１２をそれぞれ穿設し、この通気口１２に排気装置１３を取付ける。
【００２０】
図９に示すように、排気装置１３の円筒形の通気ダクト１３ｂの内部には防水を施されたファン１３ｃが取り付けられている。ファン１３ｃにはモーター１３ｄが連結されており、適宜位置に据え付けられ石柱７及び８に取り付けた太陽電池パネル１４に送電コード１５でもって電気的に接続され、太陽電池パネル１４から供給される電力によって回動する。通気ダクト１３ｂは納骨室１Ａの壁に穿設された通気口１２に挿通され、フードカバー１３ａが金網１３ｅを介して嵌合して取り付けられており、納骨室外部と通気可能に設けられている。排気装置１３は太陽電池パネル１４が発電しない曇天や雨天時及び夜間を除いて常時駆動し、納骨室１Ａ内の湿気や悪臭を帯びた空気を外部に排出する。
【００２１】
さらに、その換気に際して蒸散性の害虫忌避剤を納骨室１Ａ内に導入するとよい。害虫忌避剤としては、ヒバオイル、ヒノキオイル、ラベンダーオイル等の殺菌性の高い液体が用いられる。これらはそれぞれ単体で用いても良いし、望ましくはこれらを幾種か適宜混合することで、害虫の忌避効果のみならず芳香も得られる。そして、害虫忌避剤収容タンク（図示せず）と納骨室１Ａの通気口１２とをフレックスダクト等で連通し、排気装置１３を駆動させると、その引圧により害虫忌避剤が納骨室１Ａ内に蒸散される。排気装置１３が駆動している間は常に納骨室１Ａ内に害虫忌避剤が蒸散された状態となる。
【００２２】
以上のような構成によって、太陽電池パネル１４から送電された電力により排気装置１３が作動し、納骨室１Ａ内を換気する。すなわち、本発明に係る合祀霊廟は、太陽電池パネル１４に電気的に接続されたモーター１３ｄによって駆動される排気装置１３を備え、霊廟の納骨室１Ａ、３Ａの室内空間を通風可能にする。そして、太陽電池パネル１４を石柱７及び８の頂部に太陽に向けて装着すれば太陽光の収集効率を高められるばかりでなく、墓地の景観を壊すこともない。
【００２３】
太陽電池パネル設置用の石柱７は、例えば、図１０及び図１１に示すように、太陽電池パネル７固着用の傾斜面７ｄを有する頭部７ａが、支柱本体７ｂの頂部に金属製のジョイント１６を介して水平方向に回動自在に取り付けられる。ジョイント１６は、下端鍔部１６ｇを備えた外筒１６ａ及び中間鍔部１６ｆを備えた内筒１６ｂからなる二重筒構造で、外筒１６ａの内側面に設けられた突起１６ｃを、内筒１６ｂの上端縁の切欠き１６ｄから挿入して、内筒１６ｂの外周溝条１６ｅに嵌め込むことで抜け止めが施されると共に、外筒１６ａと内筒１６ｂは全周方向において自由に摺動可能である。そして、このジョイント１６の外筒１６ａを石柱７の頭部７ａの底面に設けられたジョイント嵌合孔７ｅに、ジョイント１６の内筒１６ｂの中間鍔部１６ｆの下部１６ｈを石柱本体７ｂの頂面に設けられたジョイント嵌合孔７ｃに嵌め込むことで、頭部７ａと石柱本体７ｂとを連結すると共に、頭部７ａが石柱本体７ｂに対して自由に回動して任意に位置決めできる。すなわち、石柱本体７ｂの立設方向に制限されることなく、太陽光パネル１４の受光面を自由な方向に向けて設定できる。また、ジョイント１６に抜け止めが施されていることにより、頭部７ａの不測の位置ズレや落下を防止できる。この構成は石柱８についても同様であるので説明を省略する。
【００２４】
また、排気装置１３を取り付けない通気孔１２又は１ｇには、図１１に示すようなフィルター機能を備えた可撓性パッキング１７を装着するのが好ましい。この可撓性パッキング１７は、装着対象となる通気口の開口面積及び外形と略同一のサイズ及び外形を有する盤状（円盤状、楕円盤状又は多角盤状）に形成されると共に、少なくともその中央領域に外周辺縁域に形成された鍔部１７ａの肉厚ｔ１よりも薄肉ｔ２なディンプル（凹み）１７ｂを有するネット構造にされた可撓性材から構成される。具体的には、プラスチック製の有底筒状のネット基材を開放端側から外向きに捲回積層して外周辺縁域の鍔部１７ａを形成していくと、ネット基材の底部分が可撓性パッキング１７のディンプル（凹み）１７ｂに対応することになる。そこで、この中央部分を加熱融着して、巻き込まれた開放端部が解けないように固着することで製作できる。そして、通気口１２又は１０ｇに可撓性パッキング１７を撓めながら嵌め込んで装着する。可撓性パッキング１７は、自らの弾性力によって通気口１２又は１０ｇに付勢固定される。
【００２５】
このように可撓性パッキング１７を通気口１２又は１０ｇに装着することにより、異物である塵埃や植物の種子等の侵入を防止することができる。特にその鍔部１７ａにより虫の侵入を確実に防ぐことができる。つまり、可撓性パッキング１７の鍔部１７ａは相当の肉厚を有し、且つネット基材が何重にも積層されているので、虫が簡単に通り抜けたり破くことができない。そして、薄肉のディンプル（凹み）１７ｂにより自然換気が妨げられることもなく、害虫忌避剤等の納骨室１Ａ内への蒸散も問題なく行うことができる。すなわち、可撓性パッキング１７は、肉厚の厚い部分と薄い部分とからなる網目構造にされているので、厚い部分で剛性及び弾性を保持でき、外力に対して頑丈であり、薄い部分で良好な通気性を得ることができる。また、その可撓性により、装着すべき通気口に適応したサイズであれば、専用の部品を用いることなく取り付けることができる。したがって、可撓性パッキング１７の交換も簡便かつ経済的に行うことができる。
【実施例２】
【００２６】
図１３乃至図２０に本発明に係る合祀霊廟の他の実施例を示す。尚、実施例１と同一の構成要素には同一の符号を付して説明を省略する。この実施例２において実施例１と大きく異なる点は、納骨室１の背面に複数の補強板１Ｅを設けることで耐震性を向上させている。また、実施例１の雲形状の防護壁６を左右側板１Ｂと兼用することで構造体の簡素化を図り、側面側に開閉される太陽電池パネル設置用の石柱８の収納庫８ａを個別納骨室１Ａの扉と同じ向きに開閉させるにより、敷地角隅部分へ設置した際の利便性が向上できるようにしている。また、納骨室１の背面壁にも通気孔１２ａを設け、個別納骨室１Ａ内には、家名札嵌込板１ｎを設け物故者の氏名を表示した名札等を嵌め込むことができるようにされている。
【００２７】
以上、本発明の実施例を説明したが、本発明は上記各実施例に限定されるものではない、例えば、全体をみかげ石等の上質な石材で製作するのが望ましいが、部分的にコンクリート等を使用してもよい。また、個人納骨室や合同納骨室の数やサイズ形状、各々の配置も任意であり、本発明の要旨を逸脱しない範囲で各種の変更が可能である。
【符号の説明】
【００２８】
１      ロッカー式納骨室
１Ａ    個別納骨室
１Ｂ    左右側板
１Ｃ    仕切板
１Ｄ    天枠（棚板）
１Ｅ    補強板
１ａ    個別納骨室の扉（窓枠）
１ｂ    窓口
１ｃ    個別納骨室の底板
１ｄ    右側枠
１ｅ    左側枠
１ｆ    底枠（棚板）
１ｇ    個別納骨室の通気孔
１ｈ    取手
１ｉ    支軸
１ｊ    固定石ビス
１ｋ    錠用透孔
１ｌ    軸支凹所
１ｍ    流水溝
１ｎ    家名札嵌込板
２      基礎床石板
２ａ    床タイル
２ｂ    縁石
３      合同納骨室を兼ねた祭壇
３ａ    合同納骨室の扉
３ｂ    焼香台
３ｃ    花立て
３ｄ    供物台
４      ベンチ
５      共用礼拝スペース
６      雲形状の防護壁及び合同納骨堂の背面壁
７      太陽電池パネル設置用の石柱
７ａ    石柱の頭部
７ｂ    石柱本体
７ｃ    ジョイント嵌合孔
７ｄ    溝条
７ｅ    筒孔
７ｆ    傾斜面
８      太陽電池パネル設置用の石柱
８ａ    収納庫
９      エッチング加工された文章や家紋などの図柄、装飾文様
１０    ガラス板（透光板）
１１    窓枠の矩形の嵌合凹所
１２    左右側板の通気口
１２ａ  背面壁の通気口
１３    排気装置
１３ａ  フードカバー
１３ｂ  通気ダクト
１３ｃ  ファン
１３ｄ  モーター
１３ｅ  金網
１４    太陽電池パネル
１５    送電コード
１６    ジョイント
１６ａ  外筒
１６ｂ  内筒
１６ｃ  外筒の突起
１６ｄ  内筒の切欠き
１６ｅ  内筒の外周溝条
１６ｆ  内筒の中間鍔部
１６ｇ  外筒の下端鍔部
１６ｈ  内筒の下部
１７    可撓性パッキング
１７ａ  パッキングの鍔部
１７ｂ  パッキングのディンプル
【図１】
2013019108.tif 000003
【図２】
2013019108.tif 000004
【図３】
2013019108.tif 000005
【図４】
2013019108.tif 000006
【図５】
2013019108.tif 000007
【図６】
2013019108.tif 000008
【図７】
2013019108.tif 000009
【図８】
2013019108.tif 000010
【図９】
2013019108.tif 000011
【図１０】
2013019108.tif 000012
【図１１】
2013019108.tif 000013
【図１２】
2013019108.tif 000014
【図１３】
2013019108.tif 000015
【図１４】
2013019108.tif 000016
【図１５】
2013019108.tif 000017
【図１６】
2013019108.tif 000018
【図１７】
2013019108.tif 000019
【図１８】
2013019108.tif 000020
【図１９】
2013019108.tif 000021
【図２０】
2013019108.tif 000022